(57)【要約】  マシンタイプコミュニケーション（ＭＴＣ）装置によってネットワークへの接続を試みるかどうかを決定する方法について記載する。トリガーとなるイベントが検知される。無線フレームが基地局から受信される。無線フレームは基地局の現在のアクセスクラスを含む。無線フレームは、トリガーとなるイベント後の現在のアクセスクラスを含む最初の無線フレームである。ＭＴＣ装置が基地局へのアクセス権を有しているか否かが判定される。その後、ＭＴＣ装置が基地局へのアクセス権を有しているか否かによってネットワークへの接続を試みるかどうかが決定される。
2013527695.tif 000002
【特許請求の範囲】
【請求項１】
マシンタイプコミュニケーション（ＭＴＣ）装置によってネットワークへの接続を試みるかどうかを決定する方法であって、
トリガーとなるイベントを検知する工程と、
基地局の現在のアクセスクラスを含む無線フレームであり、トリガーとなるイベント後の前記現在のアクセスクラスを含む最初の無線フレームである無線フレームを基地局から受信する工程と、
前記ＭＴＣ装置が前記基地局へのアクセス権を有しているか否かを判定する工程と、
前記ＭＴＣ装置が前記アクセス権を有しているか否かに基づいてネットワークへの接続を試みるかどうかを決定する工程と、を含むことを特徴とする方法。
【請求項２】
前記基地局の前記現在のアクセスクラスを無線フレームから決定する工程をさらに含むことを特徴とする請求項１に記載の方法。
【請求項３】
前記ＭＴＣ装置が前記基地局へのアクセス権を有しているか否かを判定する工程は、前記ＭＴＣ装置のアクセスクラスと前記基地局の前記現在のアクセスクラスとを比較する工程を含み、前記基地局の前記現在のアクセスクラスよりも前記ＭＴＣ装置の前記アクセスクラスが大きい場合、ＭＴＣ装置は前記基地局へのアクセス権を有していることを特徴とする請求項１に記載の方法。
【請求項４】
前記現在のアクセスクラスは、システム情報ブロックタイプ２（ＳＩＢ２）に分類されていることを特徴とする請求項１に記載の方法。
【請求項５】
前記ＭＴＣ装置がアクセス権を有していない場合、前記ネットワークへの接続の試みを中止する工程をさらに含むことを特徴とする請求項１に記載の方法。
【請求項６】
前記ＭＴＣ装置がアクセス権を有している場合、前記ネットワークへの接続を試みる工程をさらに含むことを特徴とする請求項５に記載の方法。
【請求項７】
前記ネットワークへの接続を試みるために使用する物理ランダムアクセスチャネル（ＰＲＡＣＨ）の送信機会の分配を決定する工程と、
１つ以上のＰＲＡＣＨの送信機会を前記ＰＲＡＣＨの送信機会の分配から選択する工程と、を含み、
前記ネットワークへの接続を試みる工程は、前記選択された１つ以上のＰＲＡＣＨの送信機会を使用して前記ネットワークへの接続を試みる工程を含むことを特徴とする請求項６に記載の方法。
【請求項８】
ＰＲＡＣＨの送信機会の分配を決定する工程は、使用可能な最初と最後のＰＲＡＣＨの送信機会を示す範囲値に加えて、乱数発生器を使用する工程を含むことを特徴とする請求項７に記載の方法。
【請求項９】
ＰＲＡＣＨの送信機会の分配を決定する工程は、前記トリガーとなるイベントが受信された時および前記無線フレームが受信された時の差分時間を入力として取得する工程をさらに含むことを特徴とする請求項７に記載の方法。
【請求項１０】
ＰＲＡＣＨの送信機会の分配を決定する工程は、ＭＴＣ装置の登録番号および前記使用可能なＰＲＡＣＨの送信機会を示す範囲値を使用する工程と、前記範囲値に前記登録番号をマッピングする工程と、をさらに含むことを特徴とする請求項７に記載の方法。
【請求項１１】
前記基地局の前記現在のアクセスクラスは、SystemInformationBlockType2メッセージのデータ要素ac-BarringInfo内にあることを特徴とする請求項１に記載の方法。
【請求項１２】
前記基地局の前記現在のアクセスクラスを決定するためにデータ要素ac-BarringInfoを精査する工程をさらに含むことを特徴とする請求項１１に記載の方法。
【請求項１３】
前記トリガーとなるイベントは、前記ＭＴＣ装置に前記ネットワークへの接続を試みるように要求することであることを特徴とする請求項１に記載の方法。
【請求項１４】
ネットワークへの接続を試みるかどうかを決定するために構成された装置であって、
プロセッサと、
前記プロセッサと電子的に通信するメモリと、
前記メモリに蓄積された命令と、を備え、
前記命令は、
トリガーとなるイベントを検知する工程と、
基地局の現在のアクセスクラスを含む無線フレームであり、前記トリガーとなるイベント後の前記現在のアクセスクラスを含む最初の無線フレームである無線フレームを基地局から受信する工程と、
前記装置が前記基地局へのアクセス権を有しているか否かを判定し、
前記装置がアクセス権を有しているか否かに基づいて、ネットワークへの接続を試みるかどうかを決定する工程とを、実行可能であることを特徴とする装置。
【請求項１５】
上記命令はさらに、前記基地局の前記現在のアクセスクラスを、前記無線フレームから決定する工程を実行可能であることを特徴とする請求項１４に記載の装置。
【請求項１６】
前記装置が前記基地局へのアクセス権を有しているか否かを判定する工程は、前記装置のアクセスクラスと前記基地局の前記現在のアクセスクラスとを比較する工程を含み、前記基地局の前記現在のアクセスクラスよりも装置の前記アクセスクラスが大きい場合、前記装置は基地局へのアクセス権を有していることを特徴とする請求項１４に記載の装置。
【請求項１７】
前記現在のアクセスクラスは、システム情報ブロックタイプ２（ＳＩＢ２）内にあることを特徴とする請求項１４に記載の装置。
【請求項１８】
前記命令はさらに、前記装置がアクセス権を有していない場合、前記ネットワークへの接続の試みを中止する工程を実行可能であることを特徴とする請求項１４に記載の装置。
【請求項１９】
前記命令はさらに、前記装置がアクセス権を有している場合、前記ネットワークへの接続を試みる工程を実行可能であることを特徴とする請求項１８に記載の装置。
【請求項２０】
前記命令はさらに、
前記ネットワークへの接続を試みるために使用する物理ランダムアクセスチャネル（ＰＲＡＣＨ）の送信機会の分配を決定する工程と、
１つ以上のＰＲＡＣＨの送信機会を前記ＰＲＡＣＨの送信機会の分配から選択する工程とを、実行可能であり、前記ネットワークへの接続を試みる工程は、前記選択された１つ以上のＰＲＡＣＨの送信機会を使用して前記ネットワークへの接続を試みる工程を含むことを特徴とする請求項１９に記載の装置。
【請求項２１】
ＰＲＡＣＨの送信機会の分配を決定する工程は、使用可能な最初と最後のＰＲＡＣＨの送信機会を示す範囲値に加えて、乱数発生器を使用する工程を含むことを特徴とする請求項２０に記載の装置。
【請求項２２】
ＰＲＡＣＨの送信機会の分配を決定する工程は、前記トリガーとなるイベントが受信された時および前記無線フレームが受信された時の差分時間を入力として取得する工程をさらに含むことを特徴とする請求項２０に記載の装置。
【請求項２３】
ＰＲＡＣＨの送信機会の分配を決定する工程は、前記装置の登録番号および前記使用可能なＰＲＡＣＨの送信機会を示す範囲値を使用する工程と、前記範囲値に前記登録番号をマッピングする工程と、をさらに含むことを特徴とする請求項２０に記載の装置。
【請求項２４】
前記基地局の前記現在のアクセスクラスは、SystemInfomationBlockType2メッセージのデータ要素ac-BarringInfo内にあることを特徴とする請求項１４に記載の装置。
【請求項２５】
前記命令はさらに、前記基地局の前記現在のアクセスクラスを決定するためにデータ要素ac-BarringInfoを精査する工程を実行可能であることを特徴とする請求項２４に記載の装置。
【請求項２６】
前記トリガーとなるイベントは、前記装置に前記ネットワークへの接続を試みるように要求することを特徴とする請求項１４に記載の装置。
【請求項２７】
前記装置はマシンタイプコミュニケーション（ＭＴＣ）装置であることを特徴とする請求項１４に記載の装置。
【請求項２８】
基地局によって緊急事態に対処する方法であって、
緊急メッセージを受信する工程と、
スケジューリング情報およびメッセージデータを変更する工程と、
現在のアクセスクラスを更新する工程と、
前記スケジューリング情報および前記現在のアクセスクラスを含むシステム情報メッセージをブロードキャストする工程と、を含むことを特徴とする方法。
【請求項２９】
前記緊急メッセージおよびスケジューリングデータの変更を知らせるページングメッセージを無線装置に送信する工程をさらに含むことを特徴とする請求項２８に記載の方法。
【請求項３０】
前記スケジューリング情報はＳＩＢ１サブフレームでブロードキャストされることを特徴とする請求項２８に記載の方法。
【請求項３１】
前記現在のアクセスクラスはＳＩＢ２サブフレームでブロードキャストされることを特徴とする請求項２８に記載の方法。
【請求項３２】
前記システム情報メッセージは１つ以上のマシンタイプコミュニケーション（ＭＴＣ）装置にブロードキャストされることを特徴とする請求項２８に記載の方法。
【請求項３３】
緊急事態に対処するように構成された装置であって、
プロセッサと、
前記プロセッサと電子的に通信するメモリと、
前記メモリに蓄積された命令と、を備え、
前記命令は、
緊急メッセージを受信する工程と、
スケジューリング情報およびメッセージデータを変更する工程と、
現在のアクセスクラスを更新する工程と、
前記スケジューリング情報および前記現在のアクセスクラスを含むシステム情報メッセージをブロードキャストする工程とを、実行可能であることを特徴とする装置。
【請求項３４】
前記命令はさらに、前記緊急メッセージおよびスケジューリングデータの変更を知らせるページングメッセージを無線装置に送信する工程を実行可能であることを特徴とする請求項３３に記載の装置。
【請求項３５】
前記スケジューリング情報はＳＩＢ１サブフレームでブロードキャストされることを特徴とする請求項３３に記載の装置。
【請求項３６】
前記現在のアクセスクラスはＳＩＢ２サブフレームでブロードキャストされることを特徴とする請求項３３に記載の装置。
【請求項３７】
前記システム情報メッセージは１つ以上のマシンタイプコミュニケーション（ＭＴＣ）装置にブロードキャストされることを特徴とする請求項３３に記載の装置。
【発明の詳細な説明】
【技術分野】
【０００１】
本発明は、無線通信および無線通信に関連した技術に広く関し、より具体的には、緊急時のマシンタイプコミュニケーション（ＭＴＣ）装置のための修正アクセスクラスに関する。
【背景技術】
【０００２】
無線通信装置は、消費者のニーズに答え、携帯性と利便性を改善するために、より小さくそしてより強化されている。消費者は無線通信装置に依存し、安定したサービス、より広い受信エリア、そしてより高い機能性を求めるようになっている。無線通信システムは、それぞれ基地局を通して機能する多数のセルに通信を提供する。基地局は移動局と通信を行う固定局である。
【０００３】
無線通信装置が進歩するにつれて、無線通信の使用形態の可能性も広がっている。その進歩の一例として、Ｍ２Ｍ（machine-to-machine）装置の導入がある。Ｍ２Ｍ装置は、ヒューマンインターフェースをほとんどまたは全く提供せずに、多数の無線装置の通信を円滑に行うものである。
【０００４】
これらのＭ２Ｍ装置は単に人的交流のためのインターフェースを提供するものではないため、さらに多くのＭ２Ｍ装置が一つの基地局に依存することも考えられる。１つの基地局に対して通信する無線装置の数が増えると、基地局が過負荷になる可能性がある。基地局が過負荷になるのを防ぐことによって利益がもたらされる。
【発明の概要】
【０００５】
好ましい実施形態は、マシンタイプコミュニケーション（ＭＴＣ）装置によってネットワークへの接続を試みるかどうかを決定する方法であって、トリガーとなるイベントを検知する工程と、基地局の現在のアクセスクラスを含む無線フレームであり、トリガーとなるイベント後の現在のアクセスクラスを含む最初の無線フレームである無線フレームを基地局から受信する工程と、ＭＴＣ装置が基地局へのアクセス権を有しているか否かを判定する工程と、ＭＴＣ装置が基地局へのアクセス権を有しているか否かによってネットワークへの接続を試みるかどうかを決定する工程と、を含むことを特徴とする方法である。
【０００６】
別の好ましい実施形態は、ネットワークへの接続を試みるかどうかを決定するように構成された装置であって、プロセッサと、上記プロセッサと電子的に通信するメモリと、上記メモリに蓄積された命令と、を備え、上記命令は、トリガーとなるイベントを検知し、基地局の現在のアクセスクラスを含む無線フレームであり、トリガーとなるイベント後の現在のアクセスクラスを含む最初の無線フレームである無線フレームを基地局から受信し、基地局へのアクセス権を有する装置であるか否かを判定し、基地局へのアクセス権を有する装置であるかによってネットワークへの接続を試みるかどうかを決定することを、実行可能であることを特徴とする装置である。
【０００７】
さらに別の好ましい実施形態は、基地局によって緊急事態に対処する方法であって、緊急メッセージを受信する工程と、スケジューリング情報およびメッセージデータを変更する工程と、現在のアクセスクラスを更新する工程と、上記スケジューリング情報および上記現在のアクセスクラスと共にシステム情報メッセージをブロードキャストする工程と、を含むことを特徴とする方法である。
【０００８】
さらに別の好ましい実施形態は、緊急事態に対処するように構成された装置であって、プロセッサと、上記プロセッサと電子的に通信するメモリと、上記メモリに蓄積された命令と、を備え、上記命令は、緊急メッセージを受信し、スケジューリング情報およびメッセージデータを変更し、現在のアクセスクラスを更新し、上記スケジューリング情報および上記現在のアクセスクラスと共にシステム情報メッセージをブロードキャストすることを、実行可能であることを特徴とする装置である。
【０００９】
本発明の他の目的、特徴、および優れた点は、以下に示す詳細な記載を、添付図面と共に考察することによって、より容易に理解できるであろう。
【図面の簡単な説明】
【００１０】
【図１】多数の無線装置および基幹ネットワークを含む無線通信システムを示すブロック図である。
【図２】ネットワークへの接続を試みるか否かを決定するためのフローチャートである。
【図３】システム情報（ＳＩ）メッセージおよびページングメッセージの無線装置への送信を示すブロック図である。
【図４】基地局とマシンタイプコミュニケーション（ＭＴＣ）装置との間の上りリンクおよび下りリンクの無線フレームを示す図である。
【図５】基地局とマシンタイプコミュニケーション（ＭＴＣ）装置との間の上りリンクおよび下りリンクの無線フレームを示す図である。
【図６】ネットワークへアクセスを行うか否かを決定する別の方法のフローチャートである。
【図７】マシンタイプコミュニケーション（ＭＴＣ）装置が最初の物理ランダムアクセスチャネル（ＰＲＡＣＨ）の送信機会を対象とする場合の、基地局とマシンタイプコミュニケーション（ＭＴＣ）装置との間の上りリンクおよび下りリンクの無線フレームを示す図である。
【図８】マシンタイプコミュニケーション（ＭＴＣ）装置がネットワークへの接続を試みるのに使用する物理ランダムアクセスチャネル（ＰＲＡＣＨ）の送信機会を決定するアルゴリズムを使用する場合の、基地局とマシンタイプコミュニケーション（ＭＴＣ）装置との間の上りリンクおよび下りリンクの無線フレームを示す図である。
【図９】緊急事態に対処する方法のフローチャートである。
【図１０】マシンタイプコミュニケーション（ＭＴＣ）装置において利用される種々の構成要素を示す図である。
【図１１】基地局において利用される種々の構成要素を示す図である。
【発明を実施するための形態】
【００１１】
以下、マシンタイプコミュニケーション（ＭＴＣ）装置によってネットワークへの接続を試みるかどうかを決定する方法について説明する。まず、トリガーとなるイベントが検知される。次に、基地局からの無線フレームが受信される。無線フレームには、基地局の現在のアクセスクラスが含まれている。ここでいう無線フレームとは、トリガーとなるイベント後の現在のアクセスクラスを含む最初の無線フレームのことである。上記方法は、ＭＴＣ装置が基地局へのアクセス権を有しているか否かを判定する工程を含む。さらに、上記方法は、ＭＴＣ装置がアクセス権を有しているか否かによってネットワークへの接続を試みるかどうかを決定する工程も含む。
【００１２】
また、上記方法は、基地局の現在のアクセスクラスを無線フレームから決定する工程をさらに含んでいてもよい。ＭＴＣ装置が基地局へのアクセス権を有しているか否かを判定する工程は、ＭＴＣ装置のアクセスクラスと基地局の現在のアクセスクラスとを比較する工程を含んでいてもよい。基地局の現在のアクセスクラスに比べてＭＴＣ装置のアクセスクラスが大きい場合、ＭＴＣ装置は基地局へのアクセス権を有している。上記現在のアクセスクラスは、システム情報ブロックタイプ２（ＳＩＢ２）であってもよい。
【００１３】
ＭＴＣ装置がアクセス権を有していない場合、ネットワークへの接続の試みが中止されてもよい。上記方法は、ＭＴＣ装置がアクセス権を有している場合、ネットワークへの接続を試みる工程を含んでいてもよい。ネットワークへの接続を試みるために使用する物理ランダムアクセスチャネル（ＰＲＡＣＨ）の送信機会の分配が決定されてもよい。１つ以上のＰＲＡＣＨの送信機会が上記ＰＲＡＣＨの送信機会の分配から選択されてもよい。ネットワークへの接続を試みる工程は、選択された１つ以上のＰＲＡＣＨの送信機会を使用してネットワークへの接続を試みる工程を含んでいてもよい。
【００１４】
また、ＰＲＡＣＨの送信機会の分配を決定する工程は、範囲値が使用可能な最初と最後のＰＲＡＣＨの送信機会を示す工程に加え、乱数発生器を使用する工程を含んでいてもよい。また、ＰＲＡＣＨの送信機会の分配を決定する工程は、トリガーとなるイベントが受信された時と無線フレームが受信された時の差分時間を入力として取得する工程をさらに含んでいてもよい。また、ＰＲＡＣＨの送信機会の分配を決定する工程は、ＭＴＣ装置の登録番号および使用可能なＰＲＡＣＨの送信機会を示す範囲値を使用する工程と、上記範囲値に上記登録番号をマッピングする工程と、をさらに含んでいてもよい。
【００１５】
基地局の現在のアクセスクラスは、SystemInformationBlockType2メッセージのデータ要素ac-BarringInfo内にあってもよい。データ要素ac-BarringInfoは、基地局の現在のアクセスクラスを決定するために精査されてもよい。そしてトリガーとなるイベントは、ＭＴＣ装置にネットワークへの接続を試みるよう要求してもよい。
【００１６】
以下、ネットワークへの接続を試みるかどうかを決定するために構成された装置について説明する。上記装置は、プロセッサと、上記プロセッサと電子的に通信するメモリと、上記メモリに蓄積された命令と、を備える。上記命令はトリガーとなるイベントを検知することを実行可能である。また、上記命令は基地局からの無線フレームを受信することを実行可能でもある。尚、無線フレームは基地局からの現在のアクセスクラスを含む。ここでいう無線フレームとは、トリガーとなるイベント後の現在のアクセスクラスを含む最初の無線フレームのことである。そして、上記命令はさらに、上記装置が基地局へのアクセス権を有しているか否かを判定するように実行可能である。また、上記命令は、上記装置がアクセス権を有しているか否かによって、ネットワークへの接続を試みるかどうかを決定することも実行可能である。上記装置はマシンタイプコミュニケーション（ＭＴＣ）装置であってもよい。
【００１７】
以下、基地局によって緊急事態に対処する方法を説明する。まず、緊急メッセージが受信される。次に、スケジューリング情報およびメッセージデータが変更される。次に、現在のアクセスクラスが更新される。そして、システム情報メッセージが、上記スケジューリング情報および上記現在のアクセスクラスと共にブロードキャストされる。
【００１８】
上記緊急メッセージおよびスケジューリングデータの変更を知らせるページングメッセージが、無線装置へと送信されてもよい。尚、上記スケジューリング情報はＳＩＢ１サブフレームでブロードキャストされてもよい。また、上記現在のアクセスクラスはＳＩＢ２サブフレームでブロードキャストされてもよい。さらに、上記システム情報メッセージは１つ以上のマシンタイプコミュニケーション（ＭＴＣ）装置にブロードキャストされてもよい。
【００１９】
以下、緊急事態に対処するように構成された装置を説明する。上記装置は、プロセッサと、上記プロセッサと電子的に通信するメモリと、上記メモリに蓄積された命令と、を備える。上記命令は緊急メッセージを受信することを実行可能である。また上記命令は、スケジューリング情報およびメッセージデータを変更することを実行可能である。さらに上記命令は、現在のアクセスクラスを更新することも実行可能である。また上記命令は、上記スケジューリング情報および上記現在のアクセスクラスと共にシステム情報メッセージをブロードキャストすることも実行可能である。
【００２０】
図１は多数の無線装置および基幹ネットワーク１１０を含む無線通信システム１００を示すブロック図である。無線装置は、無線通信装置１０６、または基地局１０２、またはマシンタイプコミュニケーション（ＭＴＣ）装置１０４である。基地局１０２は１つ以上の無線通信装置１０６および１つ以上のマシンタイプコミュニケーション（ＭＴＣ）装置１０４と無線通信をしている。また、基地局１０２はアクセスポイント、ノードＢ、ｅノードＢ、またはその他の用語で称されてもよい。同様に、無線通信装置１０６は移動局、加入者局、アクセス端末、遠隔ステーション、ユーザー端末、端末、携帯機、加入者ユニット、ユーザー機器、またはその他の用語で称されてもよい。
【００２１】
無線通信装置１０６は、携帯電話、スマートホン、ノート型パソコン、携帯情報端末（ＰＤＡ）、無線モデムなどでありうる。また、無線通信装置１０６は無線周波数（ＲＦ）通信チャネルを通して基地局１０２へデータを送信してもよい。同様に、基地局１０２は無線周波数（ＲＦ）通信チャネルを通して無線通信装置１０６へデータを送信してもよい。
【００２２】
無線通信装置１０６やマシンタイプコミュニケーション（ＭＴＣ）装置１０４等の無線装置は、下りリンク１１４ａ〜ｃおよび/または上りリンク１１２ａ〜ｃ上で、何時でも、１または多数の基地局１０２と通信してもよいし、通信しなくてもよい。下りリンク１１４は、基地局１０２から、無線通信装置１０６やマシンタイプコミュニケーション（ＭＴＣ）装置１０４等の無線装置への通信リンクのことを指す。また、上りリンク１１２は、無線通信装置１０６やマシンタイプコミュニケーション（ＭＴＣ）装置１０４等の無線装置から基地局１０２への通信リンクのことを指す。上記通信リンクは、単入力単出力（ＳＩＳＯ）システム、多入力単出力（ＭＩＳＯ）システム、または多入力多出力（ＭＩＭＯ）システムを使用して構築してもよい。ＭＩＭＯシステムは、多数の送信アンテナおよび受信アンテナを備えた送信機および受信機を両方含んでもよい。
【００２３】
３ＧＰＰ（Third Generation Partnership Project）とは、全世界共通の携帯電話システムの仕様を作成するための通信会社のグループの共同体である。ＬＴＥ（Long Term Evolution）とは、携帯電話通信方式用の高性能無線インターフェースのプロジェクト名である。ＬＴＥ−Ａ（Long Term Advanced）とは、ＬＴＥ無線インターフェースを強化するモバイル通信標準規格である。３ＧＰＰのＬＴＥ−Ａのリリース１０における仕様には、マシンタイプコミュニケーション（ＭＴＣ）装置１０４の使用を可能にする機能性が含まれている。
【００２４】
マシンタイプコミュニケーション（ＭＴＣ）装置１０４はその主な機能がユーザーインターフェースを提供しないということ以外は無線通信装置１０６と同様である。マシンタイプコミュニケーション（ＭＴＣ）装置１０４は、基地局１０２および基幹ネットワーク１１０と通信リンクを構築するために、物理（ＰＨＹ）層、メディアアクセス制御（ＭＡＣ）層、無線リンク制御（ＲＬＣ）層、パケットデータコンバージェンスプロトコル（ＰＤＣＰ）層、および無線リソース制御（ＲＲＣ）層を使用してもよい。ただし、マシンタイプコミュニケーション（ＭＴＣ）装置１０４はヒューマンインターフェースを提供せず、代わりに機器間（例えば、データ収集装置とデータ集約装置間）のネットワークアクセスポイントとして動作してもよい。マシンタイプコミュニケーション（ＭＴＣ）装置１０４の例としては、監視装置、公共料金測定装置、運行管理装置、および生産連鎖監視装置などが挙げられる。
【００２５】
基地局１０２は、多数の無線通信装置１０６ａ〜ｂおよび／または多数のマシンタイプコミュニケーション（ＭＴＣ）装置１０４との通信リンクを構築するように構成されていてもよい。マシンタイプコミュニケーション（ＭＴＣ）装置１０４は通信上の制限が少ないため、無線通信装置１０６に比べて、より多数のマシンタイプコミュニケーション（ＭＴＣ）装置１０４が基地局１０２の影響を受ける場合がある。無線通信装置１０６に比べて１０倍もの数のマシンタイプコミュニケーション（ＭＴＣ）装置１０４が、基地局１０２の影響を受けることが予想される。
【００２６】
ＬＴＥ−Ａにおいて、地震津波警告システム（ＥＴＷＳ）や業務用携帯機器警告システム（ＣＭＡＳ）等の緊急用機能が使われる場合がある。そのような事態への反応としての情報のブロードキャストは人間へ向かって発せられることを前提としているため、これらの緊急用機能は、マシンタイプコミュニケーション（ＭＴＣ）装置１０４においては使えない場合がある。ＥＴＷＳまたはＣＭＡＳを必要とする事態が発生した場合、全ての不必要な通信はネットワーク上から排除し、安全、健康、および緊急サービスがいかなる全ての必要な帯域幅でも提供されるようにすることが望ましい。そのため、基地局１０２は緊急メッセージモジュール１１６を備えていてもよい。緊急時に帯域幅が適切に割り当られることを保証するため、基地局１０２は、メッセージモジュール１１６を使用してもよい。
【００２７】
緊急時に帯域幅を割り当てるための基地局用の方法の１つとして、アクセスクラスの使用がある。無線通信装置１０６ａ〜ｂはそれぞれ、１つ以上のアクセスクラス１０８ｂ〜ｃを事前に設定されてもよい。マシンタイプコミュニケーション（ＭＴＣ）装置１０４もそれぞれ、１つ以上のアクセスクラス１０８ａを事前に与えられてもよい。アクセスクラス１０８は１からnまでの値をとることができる。無線通信装置１０６またはマシンタイプコミュニケーション（ＭＴＣ）装置１０４がネットワークに（すなわち基地局１０２を介して基幹ネットワーク１１０に）アクセスするには、無線通信装置１０６またはマシンタイプコミュニケーション（ＭＴＣ）装置１０４は、少なくとも１つのアクセスクラス１０８が基地局１０２における現在のアクセスクラス１１８と一致する、または超えることを証明することが必要である。無線通信装置１０６またはマシンタイプコミュニケーション（ＭＴＣ）装置１０４は、現在のアクセスクラス１１８の値を、システム情報（ＳＩ）メッセージにより、基地局１０２から読み出す。尚、システム情報（ＳＩ）メッセージに関しては、図３を参照して、後ほど詳細に説明する。
【００２８】
各無線通信装置１０６およびマシンタイプコミュニケーション（ＭＴＣ）装置１０４は、上記１つ以上のアクセスクラス１０８を、上記読み出された現在のアクセスクラス１１８と比較する。無線通信装置１０６またはマシンタイプコミュニケーション（ＭＴＣ）装置１０４のアクセスクラス１０８が上記現在のアクセスクラス１１８よりも大きい場合、無線通信装置１０６またはマシンタイプコミュニケーション（ＭＴＣ）装置１０４は、基地局１０２のアクセスは適切である（すなわち基地局１０２にアクセス権が認められる）と決定する。
【００２９】
例えば、第１の無線通信装置１０６ａのアクセスクラス１０８ｂが３であり、基地局の現在のアクセスクラス１１８が４である場合、上記第１の無線通信装置１０６ａは基地局１０２へのアクセスを試みない。したがって、上記第１の無線通信装置１０６ａは緊急時応答無線通信装置１０６ではない。第２の無線通信装置１０６ｂのアクセスクラス１０８ｃが５（第２の無線通信装置１０６ｂが緊急時応答無線通信装置１０６であるため、数値はより高くなっている）であり、基地局の現在のアクセスクラス１１８が４である場合、第１の無線通信装置１０６ａが基地局１０２にアクセスできないが、第２の無線通信装置１０６ｂは基地局１０２にアクセスできる。マシンタイプコミュニケーション（ＭＴＣ）装置１０４のアクセスクラス１０８ａが１であり、基地局の１０２の現在のアクセスクラス１１８が４である場合、上記マシンタイプコミュニケーション（ＭＴＣ）装置１０４は基地局１０２への接続の試みをやめる。
【００３０】
マシンタイプコミュニケーション（ＭＴＣ）装置１０４は通信リンクモジュール１２０を備えていてもよい。上記通信リンクモジュール１２０は、基地局１０２から現在のアクセスクラス１１８を取得し、そして上記現在のアクセスクラス１１８とマシンタイプコミュニケーション（ＭＴＣ） 装置１０４のアクセスクラス１０８ａとを比較し、基地局１０２へのアクセスが妥当か否かを判定する。
【００３１】
図２は、ネットワークへの接続を試みるか否かを判定するための方法２００のフローチャートである。方法２００はマシンタイプコミュニケーション（ＭＴＣ）装置１０４によって行われる。まずマシンタイプコミュニケーション（ＭＴＣ）装置１０４はトリガーとなるイベントを検知する（２０２）。トリガーとなるイベントは、マシンタイプコミュニケーション（ＭＴＣ）装置１０４がネットワークへの接続を試みる誘因となる事象であればどのような事象でも良い。トリガーとなるイベントとしては、オイルバルブにおいての圧力の変化、突然の温度の低下、ペースメーカーにおける心拍リズムの変化等が挙げられる。トリガーとなるイベントは、マシンタイプコミュニケーション（ＭＴＣ）装置１０４の各タイプに応じて異なっていて良い。
【００３２】
トリガーとなるイベントの検知（２０２）後、マシンタイプコミュニケーション（ＭＴＣ）装置１０４は、基地局１０２の現在のアクセスクラス１１８を含む無線フレームを受信する（２０４）。基地局１０２は現在のアクセスクラス１１８を含む無線フレームを周期的にブロードキャストしてもよい。例えば、ある構成では、基地局１０２は、無線フレームの８回の送信につき１回、現在のアクセスクラス１１８を含む無線フレームをブロードキャストしてもよい。現在のアクセスクラス１１８を搬送するＳＩＢ２サブフレームの分配はシステムにより構成可能であるが、その構成範囲はあらゆる無線フレームの周期を含むものではない。マシンタイプコミュニケーション（ＭＴＣ）装置１０４は、現在のアクセスクラス１１８を含む無線フレームを受信（２０４）すると、基地局１０２の現在のアクセスクラス１１８を上記無線フレームから確定する（２０６）。
【００３３】
ＬＴＥ−Ａのリリース１０においては、（マシンタイプコミュニケーション（ＭＴＣ）装置１０４等の）無線装置が基地局１０２から現在のアクセスクラス１１８を受信したばかりである場合、該無線装置は基地局１０２の現在のアクセスクラス１１８を確定する（２０６）必要はない。しかし、このことは、基地局が緊急事態に対処しているが、アクセスクラス１１８を現在のものに更新しておらず（この更新は通常、変更期間（Modification Period）の終わりに行われる）、無線装置が十分なアクセス権を持たずにネットワークにアクセスを試みる期間を生み出す。この事態を改善するため、基地局１０２は変更期間中いつでもアクセスクラス１１８を更新してよい。また、無線装置はあらゆるトリガーとなるイベント後に基地局１０２の現在のアクセスクラス１１８を確定する（２０６）必要がある。これについては、図３を参照して、後ほどさらに詳細に説明する。
【００３４】
次に、マシンタイプコミュニケーション（ＭＴＣ）装置１０４は、マシンタイプコミュニケーション（ＭＴＣ）装置１０４のアクセスクラス１０８ａが基地局１０２の現在のアクセスクラス１１８より大きいか否かを判定する（２０８）。マシンタイプコミュニケーション（ＭＴＣ）装置１０４のアクセスクラス１０８ａが基地局１０２の現在のアクセスクラス１１８以下である場合、マシンタイプコミュニケーション（ＭＴＣ）装置１０４は、基地局１０２が現在のアクセスクラス１１８を含む別の無線フレームをブロードキャストするまで待機する。よって、マシンタイプコミュニケーション（ＭＴＣ）装置１０４はネットワークへの接続を試みない。
【００３５】
マシンタイプコミュニケーション（ＭＴＣ）装置１０４のアクセスクラス１０８ａが基地局１０２の現在のアクセスクラス１１８より大きい場合、マシンタイプコミュニケーション（ＭＴＣ）装置１０４は、ネットワークへの接続を試みるのに使用するチャネルリソースを決定する（２１０）。このチャネルリソースは物理ランダムアクセスチャネル（ＰＲＡＣＨ）であってよい。その後、マシンタイプコミュニケーション（ＭＴＣ）装置１０４は、決定されたチャネルリソースを使用してネットワークへの接続を試みる（２１２）。
【００３６】
図３は、システム情報（ＳＩ）メッセージ３２４およびページングメッセージ３３２の無線装置３２２への送信を示すブロック図である。図３の基地局３０２は、図１の基地局１０２の構成例の１つである。図３の無線装置３２２は、図１のマシンタイプコミュニケーション（ＭＴＣ）装置１０４または無線通信装置１０６の構成例の１つである。基地局３０２は、システム情報メッセージ３２４を含む下りリンク無線フレームをブロードキャストする。下りリンク無線フレームは、マシンタイプコミュニケーション（ＭＴＣ）装置１０４および無線通信装置１０６にブロードキャストされる。
【００３７】
ＬＴＥ−Ａにおいては、基地局３０２は、無線通信装置１０６またはマシンタイプコミュニケーション（ＭＴＣ）装置１０４に対して、システム情報（ＳＩ）メッセージ３２４を介してネットワークとの通信リンクを構築するのに必要な情報をブロードキャストする。システム情報は、マスター情報ブロック（ＭＩＢ）と多数のシステム情報ブロック（ＳＩＢ１・・・ＳＩＢ１２等）に分けられる。第１のシステム情報ブロックは、SystemInformationBlockType1（ＳＩＢ１）と称され、ＥＴＷＳ／ＣＭＡＳ  ＳＩＢメッセージ等の緊急情報３３０の所在を示すSchedulingInfoList内のスケジューリング情報３２８と、システム情報（ＳＩ）メッセージ３２４に変更があったことを示すシステム情報変更指標systemInfoValueTagと、を含む。
【００３８】
第２のシステム情報ブロックは、SystemInformationBlockType2（ＳＩＢ２）と称され、ac-BarringInfo内の無線通信装置１０６およびマシンタイプコミュニケーション（ＭＴＣ）装置１０４の階層的分割を含む。よって第２のシステム情報ブロックは、更新されたアクセスクラス３２６（すなわち、基地局１０２の現在アクセスクラス１１８）を含む。現在のリリース１０の仕様では、変更期間の境界における特定の無線フレーム以外ではＳＩＢ２データの変更はできなくなっている。よって、基地局３０２は、変更期間の境界において更新されたアクセスクラス３２６を変更することのみができる。変更期間の境界は、３２の無線フレーム毎にある。
【００３９】
また、現在のリリース１０の仕様では、無線装置３２２がＳＩＢ２データを受信したばかりである場合には、ネットワークへの接続を試みる前に、無線装置３２２にＳＩＢ２サブフレーム（すなわち、更新されたアクセスクラス３２６）の状態を確認することを要求しない。よって、ネットワークが緊急事態（すなわち、地震津波警告システム（ＥＴＷＳ）／業務用携帯機器警告システム（ＣＭＡＳ）データをブロードキャストすること）に反応している間、無線装置３２２がネットワークへの接続を試みる期間が存在し得る。現在の仕様では、基地局３０２の影響下にある最大数の無線通信装置１０６は、それらを機能させるのに使用できる物理ランダムアクセスチャネル（ＰＲＡＣＨ）リソースと比較して管理可能であると考えられていたため、この期間は重大な問題であるとは考えられていなかった。しかし、マシンタイプコミュニケーション（ＭＴＣ）装置１０４を含むことで、基地局３０２は、より多くの無線装置３２２をサポートする（基地局３０２は、無線通信装置１０６およそ１０倍のマシンタイプコミュニケーション（ＭＴＣ）装置１０４をサポートする）ことになり、基地局３０２の物理ランダムアクセスチャネル（ＰＲＡＣＨ）リソースを過負荷にする可能性がある。
【００４０】
別のシステム情報ブロックは、SystemInformationBlockType10/11（ＳＩＢ１０、ＳＩＢ１１）と称され、地震津波警告システム（ＥＴＷＳ）メッセージデータを含む。さらに別のシステム情報ブロックは、SystemInformationBlockType12（ＳＩＢ１２）と称され、業務用携帯機器警告システム（ＣＭＡＳ）メッセージデータを含む。SystemInformationBlockType10/11およびSystemInformationBlockType12はそれぞれ、緊急情報３３０を含む。
【００４１】
基地局３０２は、ページングメッセージ３３２をブロードキャストし、無線通信装置１０６やマシンタイプコミュニケーション（ＭＴＣ）装置１０４等の通信装置３２２にシステム情報変更を通知する。ページングメッセージ３３２は、無線通信装置１０６またはマシンタイプコミュニケーション（ＭＴＣ）装置１０４のページング時機において周期的にブロードキャストされる。ページング時機は、無線通信装置１０６またはマシンタイプコミュニケーション（ＭＴＣ）装置１０４の国際移動体装置識別番号（ＩＭＥＩ）およびシステム構成設定により決定される。
【００４２】
ページングメッセージ３３２は、システム情報変更指標３３４および緊急指標３３６を含む。システム情報変更指標３３４は、データフィールドsystemInfoModificationであり、設定時に、システム情報（ＳＩ）データが次の変更期間の境界で変わるように予定されていることを示す。変更期間の境界は、ＳＩＢ２データ内の更新されたアクセスクラス３２６への変更が認められる時期を限定する。ＳＩＢ２データの変更は、特定の無線フレームにおいてしか起こらない。ＳＩＢ２データは、そのスケジューリングに定められた通りに、変更期間内において同じ内容で多数回送信される。systemInfoModificationが「変更期間Ｎ」の間に設定されると、変更は「変更期間Ｎ＋１」まで起こらない。緊急指標３３６は、データフィールドetws/cmas−Indicationであり、設定時に、（ＥＴＷＳ／ＣＭＡＳ情報等の）緊急情報３３０がブロードキャストされていることを示す。
【００４３】
ＥＴＷＳ／ＣＭＡＳメッセージ等の緊急メッセージ（すなわち、緊急情報３３０）は、任意の時点に発生し得る。換言すると、ＳＩＢ１におけるスケジューリング情報３２８およびＳＩＢ１０／１１／１２における緊急情報３３０は、（他の全てのＳＩＢデータと異なり）変更期間の境界において変化する必要はない。ページングメッセージ３３２は、無線通信装置１０６にＳＩＢ１０／１１／１２における緊急情報３３０およびＳＩＢ１におけるその関連のスケジューリング情報３２８の存在について通知するために使用される。無線通信装置１０６が緊急指標３３６etws/cmas−Indicationを含むページングメッセージ３３２を受信すると、無線通信装置１０６はＳＩＢ１における次のスケジューリング情報３２８の受信を試みる。無線通信装置１０６は、次の変更期間の境界の開始時に、ＳＩＢ１における最初のスケジューリング情報３２８を待たない。ＳＩＢ１における次のスケジューリング情報３２８は、ＳＩＢ１０／１１／１２のための新たなスケジューリング情報３２８を取得するために使用される。その後、無線通信装置は、スケジューリング情報３２８を使用し、ＳＩＢ１０／１１／１２により搬送されるＥＴＷＳ／ＣＭＡＳメッセージ等の緊急情報３３０を受信する。
【００４４】
図４は、基地局１０２とマシンタイプコミュニケーション（ＭＴＣ）装置１０４との間の上りリンクおよび下りリンクの無線フレームを示している。あらゆる無線フレーム４３８ａ〜ｆにおいて、上りリンク４１２は、構成指標が７のサブフレーム２およびサブフレーム７で物理ランダムアクセスチャネル（ＰＲＡＣＨ）を含む。無線フレーム０  ４３８ａにおいては、下りリンク４１４は、マシンタイプコミュニケーション（ＭＴＣ）装置１０４が基地局１０２の現在アクセスクラス１１８を含むことによってネットワークに接続可能であることを示すＳＩＢ２サブフレーム４４０ａを含む。ＳＩＢ１サブフレーム４４２ａ〜ｆは、図示された無線フレーム４３８ａ〜ｆ毎にTagVa1=nを有する。
【００４５】
マスター情報ブロック（ＭＩＢ）スケジュールは、４０ミリ秒（ｍｓ）の周期性を有する（サブフレーム０において最初の送信、無線フレーム（SFN mod 4）＝０において最初の送信、４０ｍｓでの繰り返し、サブフレーム毎に１つ）。システム情報ブロック（ＳＩＢ）スケジュールは、８０ｍｓの周期性を有する（サブフレーム５において最初の送信、無線フレーム（SFN mod 8）＝０において最初の送信、８０ｍｓでの繰り返し、偶数サブフレーム毎に１つ）。ＳＩＢ２サブフレーム４４０ａ〜ｆは、８無線フレーム４３８の周期性を有する。システム情報（ＳＩ）変更期間は、６４無線フレームに相当する。デフォルトページングサイクル４４６は、３２０ｍｓの周期性と、サブフレーム９における送信を有する。
【００４６】
変更期間４４７は、defaultPagingCycle × 2 RF = 64 RFと定義される。変更期間４４７は、６４０ｍｓの周期性を有する（サブフレーム５において最初の送信、無線フレーム（SFN mod 64）＝０において最初の送信）。ページング機会４４４ａ〜ｃは、無線フレーム０  ４３８ａ、無線フレーム３２  ４３８ｂ、および無線フレーム６４  ４３８ｅに含まれる。ページング機会４４４ａ〜ｃは、ページング時機とも称される。ページング時機は、無線装置３２２がページングメッセージ３３２を受信する場所を示すアドレスのようなものである。ページング時機は、無線フレーム４３８に分散されており、異なる無線装置３２２が異なるタイミングでそれらのページのために起動する。
【００４７】
ページングサイクル４４６は、defaultPagingCycle = 32RFと定義される。よって、ページングサイクル４４６は３２無線フレームである。無線フレーム３２  ４３８ｂは、基地局１０２の現在アクセスクラス１１８を示すＳＩＢ２サブフレーム４４０ｂ等の無線フレーム０と同じ情報（または、同様の情報）を含む。ある構成では、無線フレーム４８  ４３８ｃの間に緊急事態が発生する。一旦緊急事態が発生すると、マシンタイプコミュニケーション（ＭＴＣ）装置１０４はネットワークに接続しないことが望ましい。これと同様の構成では、マシンタイプコミュニケーション（ＭＴＣ）装置１０４にネットワークへの接続を試みるように要求する無線フレーム４８  ４３８ｃの間にトリガーとなるイベントが発生する。マシンタイプコミュニケーション（ＭＴＣ）装置１０４のトリガーとなるイベントは、緊急事態と同じ無線フレーム４３８において起こる必要はない。
【００４８】
マシンタイプコミュニケーション（ＭＴＣ）装置１０４がトリガーとなるイベントを検知すると、マシンタイプコミュニケーション（ＭＴＣ）装置１０４は、アイドルモードを終了し、ネットワークへの接続を試みることを決定する。マシンタイプコミュニケーション（ＭＴＣ）装置１０４は、マシンタイプコミュニケーション（ＭＴＣ）装置１０４がネットワークへの接続を試みるアクセス権を有していることを示す無線フレーム４３８（例えば、無線フレーム４８  ４３８ｃ）内のＳＩＢ２サブフレーム４４０をターゲットとしたばかりであってもよい。マシンタイプコミュニケーション（ＭＴＣ）装置１０４は、次の物理ランダムアクセスチャネル（ＰＲＡＣＨ）の送信機会を（最初にＳＩＢ２サブフレーム４４０を確認することなく）ターゲットとする。
【００４９】
ＳＩＢ２サブフレーム４４０のac-BarringInfo（すなわち、基地局１０２の現在アクセスクラス１１８）の変更は、次の変更期間の境界（すなわち、次の変更期間４４７（この場合、無線フレーム６４  ４３８ｅ）の始め）まで起こり得ない。よって、無線フレーム５６  ４３８ｄのＳＩＢ２サブフレーム４４０ｄは、マシンタイプコミュニケーション（ＭＴＣ）装置１０４をネットワークへの接続を試みることを妨げることに使用することはできない。代わりに、基地局１０２は、ＳＩＢ２サブフレーム４４０ｅを変更し、マシンタイプコミュニケーション（ＭＴＣ）装置がネットワークに接続できないことを示すために、無線フレーム６４  ４３８ｅまで待機しなければならない。無線フレーム６４  ４３８ｅにおいては、（ページング機会４４４ｃETWS_Indication = Tを介した）ページングメッセージ３３２は、システム情報変更指標３３４を介して、システム情報（ＳＩ）の変更を示すものとなる。
【００５０】
無線フレーム７２  ４３８ｆでは、マシンタイプコミュニケーション（ＭＴＣ）装置１０４は、ページングメッセージ３３２毎に新たなシステム情報（ＳＩ）をターゲットとする。マシンタイプコミュニケーション（ＭＴＣ）装置１０４は、基地局１０２の新たな現在のアクセスクラス１１８をＳＩＢ２サブフレーム４４０ｆから取得する。次に、マシンタイプコミュニケーション（ＭＴＣ）装置１０４は、現在アクセスクラス１１８とマシンタイプコミュニケーション（ＭＴＣ）装置１０４のアクセスクラス１０８ａとを比較し、マシンタイプコミュニケーション（ＭＴＣ）装置１０４がアクセス権を有しているか判定する。
【００５１】
マシンタイプコミュニケーション（ＭＴＣ）装置１０４は、ネットワークへの接続の構築を試みるにあたり、多数の物理ランダムアクセスチャネル（ＰＲＡＣＨ）の送信機会を使用してもよい。各物理ランダムアクセスチャネル（ＰＲＡＣＨ）の使用は、システムの過負荷を引き起こす。マシンタイプコミュニケーション（ＭＴＣ）装置１０４が無線フレーム６４  ４３８ｅのサブフレームＳＩＢ２  ４４０ｅのページング機会４４４ｃにおける更新されたアクセスクラス１１８を受信すると、マシンタイプコミュニケーション（ＭＴＣ）装置１０４は、緊急事態が発生し、システム情報（ＳＩ）データに変更があると決定する。マシンタイプコミュニケーション（ＭＴＣ）装置１０４が、自身はネットワークへのアクセス権がないと決定すると、マシンタイプコミュニケーション（ＭＴＣ）装置１０４はネットワークへの接続を試みない。
【００５２】
また図５は、基地局１０２とマシンタイプコミュニケーション（ＭＴＣ）装置１０４との間の上りリンク５１２および下りリンク５１４の無線フレーム５３８ａ〜eを示している。図４と同様に、ページングサイクル５４６は３２無線フレーム５３８である。８つの無線フレーム５３８毎に、ＳＩＢ２サブフレーム５４０ａ〜ｅを含む。無線フレーム０  ５３８ａの下りリンク５１４では、ＳＩＢ２サブフレーム５４０ａは、マシンタイプコミュニケーション（ＭＴＣ）装置１０４がネットワークに接続可能であることを示す。各無線フレーム５８３の上りリンク５１２では、物理ランダムアクセスチャネル（ＰＲＡＣＨ）はサブフレーム２およびサブフレーム７にある。８つ毎の下りリンク５１４の無線フレーム５３８は、TagVa1=nを有するＳＩＢ１サブフレーム５４２ａ〜eも含む。ページングサイクル５４６における最初の無線フレーム５３８は、ページング機会５４４ａ〜ｃを含む。
【００５３】
無線フレーム４８  ５３８ｃでは、緊急事態が発生する。ある構成では、マシンタイプコミュニケーション（ＭＴＣ）装置１０４のトリガーとなるイベントも、緊急事態と同じ無線フレーム５３８の間に発生する。マシンタイプコミュニケーション（ＭＴＣ）装置１０４は、マシンタイプコミュニケーション（ＭＴＣ）装置１０４がネットワークへのアクセス権を有しているか否かを判定するために次の変更期間（すなわち、無線フレーム６４  ５３８ｅ）まで待機するより、次の利用可能なＳＩＢ２サブフレーム５４０ｄ（この場合は、無線フレーム５６  ５３８ｄにある）をターゲットとしてもよい。ある構成では、ＳＩＢ２サブフレーム５４０は、８つの無線フレーム５３８毎（８０ｍｓ毎）にブロードキャストされる。マシンタイプコミュニケーション（ＭＴＣ）装置１０４は、無線フレーム５６  ５３８ｄの下りリンク５１４内のＳＩＢ２サブフレーム５４０ｄを受信する。そして、マシンタイプコミュニケーション（ＭＴＣ）装置１０４は自身がネットワークへのアクセス権がないと決定する。マシンタイプコミュニケーション（ＭＴＣ）装置１０４は、次の変更期間（すなわち、無線フレーム６４  ５３８ｅ）まで待機せず、ネットワークへ接続する試みを中止する。
【００５４】
図６は、ネットワークへアクセスを行うか否かを判定する別の方法６００のフローチャートである。方法６００は、マシンタイプコミュニケーション（ＭＴＣ）装置１０４により実施される。マシンタイプコミュニケーション（ＭＴＣ）装置１０４は、マシンタイプコミュニケーション（ＭＴＣ）装置１０４にネットワークへの接続を試みることを要求するトリガーとなるイベントを検知する（６０２）。次に、マシンタイプコミュニケーション（ＭＴＣ）装置１０４は、次の利用可能なSystemInformationBlockType2メッセージ（ＳＩＢ２サブフレーム５４０）をターゲットとする（６０４）。次の利用可能なSystemInformationBlockType2メッセージ（ＳＩＢ２サブフレーム５４０）をターゲットとする工程６０４は、受信したばかりのＳＩＢ２サブフレーム５４０より提供されるac-BarringInfoの状態を確認する工程を含んでも良い。
【００５５】
基地局１０２は次の変更期間の境界までSystemInformationBlockType2データを更新することができない（すなわち、基地局１０２は修正境界である特定の無線フレーム５３８でしかデータを変更することができない）ため、通常、マシンタイプコミュニケーション（ＭＴＣ）装置１０４は、SystemInformationBlockType2メッセージをターゲットとする前に、次の修正境界まで待機するが、ＳＩＢ２ ac-BarringInfoデータの周期的な更新制限への変更は、任意の時点での更新を可能とする。
【００５６】
マシンタイプコミュニケーション（ＭＴＣ）装置１０４は、SystemInformationBlockType2メッセージの復号に成功したか否かを判定する（６０６）。復号に成功しなかった場合、マシンタイプコミュニケーション（ＭＴＣ）装置１０４はネットワークへの接続の試みを中止し（６１０）、次の利用可能なSystemInformationBlockType2メッセージをターゲットとする（６０４）。
【００５７】
復号に成功した場合、マシンタイプコミュニケーション（ＭＴＣ）装置１０４はSystemInformationBlockType2メッセージ内のac-BarringInfoと呼ばれるデータ要素を調べる（６０８）。そして、マシンタイプコミュニケーション（ＭＴＣ）装置１０４は、データ要素ac-BarringInfoにおける情報がマシンタイプコミュニケーション（ＭＴＣ）装置１０４がアクセス権を有していることを示すものであるか否かを判定する（６１２）。マシンタイプコミュニケーション（ＭＴＣ）装置１０４がアクセス権を有していない場合、マシンタイプコミュニケーション（ＭＴＣ）装置１０４はネットワークへの接続の試みを中止し（６１０）、次の利用可能なSystemInformationBlockType2メッセージをターゲットとする（６０４）。
【００５８】
マシンタイプコミュニケーション（ＭＴＣ）装置１０４がアクセス権を有している場合、マシンタイプコミュニケーション（ＭＴＣ）装置１０４は１つ以上の物理ランダムアクセスチャネル（ＰＲＡＣＨ）の送信機会を使用し、ネットワークへの接続を試みる。マシンタイプコミュニケーション（ＭＴＣ）装置１０４が使用しようとする物理ランダムアクセスチャネル（ＰＲＡＣＨ）リソースは、受信したSystemInformationBlockType2メッセージの直後の物理ランダムアクセスチャネル（ＰＲＡＣＨ）の送信機会ではない。
【００５９】
代わりに、マシンタイプコミュニケーション（ＭＴＣ）装置１０４は、ネットワークへの接続を試みるのに使用する物理ランダムアクセスチャネル（ＰＲＡＣＨ）の送信機会の分配を決定する（６１４）。その機能は、物理ランダムアクセスチャネル（ＰＲＡＣＨ）の送信機会の分配を決定する（６１４）ために、１つ以上のアルゴリズムを使用する。第１のアルゴリズムでは、最初と最後の物理ランダムアクセスチャネル（ＰＲＡＣＨ）の送信機会を示す範囲値に加えて、簡単な乱数発生器を使用する。第２のアルゴリズムでは、マシンタイプコミュニケーション（ＭＴＣ）装置１０４が自身のネットワークへの接続が必要であると最初に決定した時（すなわち、トリガーとなるイベントが起こった時）とマシンタイプコミュニケーション（ＭＴＣ）装置１０４が（ＳＩＢ２サブフレーム５４０内の）SystemInformationBlockType2メッセージを読み出した時との差分時間を入力として取得する。
【００６０】
第３のアルゴリズムでは、マシンタイプコミュニケーション（ＭＴＣ）装置１０４登録番号（すなわち、ＩＭＥＩ、国際移動体加入者識別番号（ＩＭＳＩ）、セル無線ネットワーク一時識別子（Ｃ−ＲＮＴＩ）、ページング無線ネットワーク一時識別子（Ｐ−ＲＮＴＩ）、またはグループ連携番号）、使用する最初と最後の物理ランダムアクセスチャネル（ＰＲＡＣＨ）の送信機会を示す範囲値、および上記範囲への登録値のマッピングを入力として取得する。SystemInformationBlockType2メッセージの読み出し後に使用する物理ランダムアクセスチャネル （ＰＲＡＣＨ）の送信機会を決定するために、マシンタイプコミュニケーション（ＭＴＣ）装置１０４が使用する機能は、半静的にネットワークにより構成される。
【００６１】
例えば、ネットワークは、マシンタイプコミュニケーション（ＭＴＣ）装置１０４に、使用するアルゴリズムおよび使用するパラメーターセットについて命令する。基地局１０２は、この目的のためにマシンタイプコミュニケーション（ＭＴＣ）装置１０４に存在するアルゴリズムを知っている。基地局１０２は、１つのアルゴリズム（そしておそらく１組のパラメーター）を選択する。基地局１０２は、マシンタイプコミュニケーション（ＭＴＣ）装置１０４の動きを現在のネットワークの状態により良く合わせるために、マシンタイプコミュニケーション（ＭＴＣ）装置１０４が使用するアルゴリズムを制御する。
【００６２】
マシンタイプコミュニケーション（ＭＴＣ）装置１０４ は、ネットワークへの接続を試みるのに使用するため物理ランダムアクセスチャネル（ＰＲＡＣＨ）の送信機会の配分から、１つ以上の物理ランダムアクセスチャネル（ＰＲＡＣＨ）の送信機会を選択する（６１６）。次に、マシンタイプコミュニケーション（ＭＴＣ）装置１０４は、選択した１つ以上の物理ランダムアクセスチャネル（ＰＲＡＣＨ）の送信機会を使用して、ネットワークへの接続を試みる（６１８）。
【００６３】
図７は、マシンタイプコミュニケーション（ＭＴＣ）装置１０４が、最初の物理ランダムアクセスチャネル（ＰＲＡＣＨ）の送信機会をターゲットとしている場合の、基地局１０２とマシンタイプコミュニケーション（ＭＴＣ）装置１０４との間の上りリンク７１２および下りリンク７１４の無線フレーム７３８ａ〜ｇを示している。上記図４と同様に、ページングサイクル７４６は、３２の無線フレーム７３８を含む。無線フレーム０  ７３８ａの下りリンク７１４では、ＳＩＢ２サブフレーム７４０ａは、マシンタイプコミュニケーション（ＭＴＣ）装置１０４がネットワークに接続できることを示す。ＳＩＢ１サブフレーム７４２ａ〜ｅは、８無線フレーム７３８ごとにブロードキャストされ、基地局１０２のスケジューリング情報３２８を示す。上りリンク７１２では、物理ランダムアクセスチャネル（ＰＲＡＣＨ）は、各無線フレーム７３８のサブフレーム２および７にある。無線フレーム７３８の下りリンク７１４は、１つおきに、ＳＩＢ１サブフレーム７４２ａ〜ｅを含む。無線フレーム７３８の下りリンク７１４は、８つおきに、ＳＩＢ２サブフレーム７４０ａ〜ｅを含む。３２無線フレームごと（すなわちページングサイクル７４６における最初の無線フレーム７３８）にページング機会７４４ａ〜ｃが含まれる。
【００６４】
無線フレーム４８  ７３８ｄでは、緊急事態が発生する。緊急事態発生後の一定期間、マシンタイプコミュニケーション（ＭＴＣ）装置１０４がネットワークに接続しないようにすることが望ましい。ネットワークは、マシンタイプコミュニケーション（ＭＴＣ）装置１０４がネットワークに接続することを制限する現在のアクセスクラス１１８を有するＳＩＢ２情報を更新することを選択する、もしくはＳＩＢ２情報を更新しないことを選択して、マシンタイプコミュニケーション（ＭＴＣ）装置１０４がネットワークに接続を許可し続ける。
【００６５】
マシンタイプコミュニケーション（ＭＴＣ）装置１０４ にとってのトリガーとなるイベントは、緊急事態のように、同一のページングページングサイクル７４６中でも発生する。トリガーとなるイベントは、無線フレーム４８  ７３８ｄにおいて発生するように示されているが、無線フレーム３２  ７３８ｂから無線フレーム６３にかけて発生するトリガーとなるイベントについても同様の結果が得られるだろう。トリガーとなるイベントは、マシンタイプコミュニケーション（ＭＴＣ）装置１０４にネットワークへの接続を試みるように要求する。
【００６６】
マシンタイプコミュニケーション（ＭＴＣ）装置１０４は、次のＳＩＢ２サブフレーム７４０を、マシンタイプコミュニケーション（ＭＴＣ）装置１０４がネットワークに接続するアクセス権を有しているか否か判定するためのターゲットとする。ある構成では、無線フレーム５６  ７３８ｅのＳＩＢ２サブフレーム７４０ｄにおける情報は、マシンタイプコミュニケーション（ＭＴＣ）装置１０４がネットワークに接続できることを示す。この場合、マシンタイプコミュニケーション（ＭＴＣ）装置１０４はネットワークへの接続を試みる。
【００６７】
ある構成では、複数のマシンタイプコミュニケーション（ＭＴＣ）装置１０４はすべて、同一のトリガーとなるイベントに応答する。したがって、マシンタイプコミュニケーション（ＭＴＣ）装置１０４がネットワークに接続するアクセス権を有していることをＳＩＢ２サブフレーム７４０ｄが示した後、複数のマシンタイプコミュニケーション（ＭＴＣ）装置１０４はすべて、最初の物理ランダムアクセスチャネル（ＰＲＡＣＨ）の送信機会をターゲットとする。かなりの数のマシンタイプコミュニケーション（ＭＴＣ）装置１０４が同時にネットワークに接続しようとした場合、基地局１０２の物理ランダムアクセスチャネル（ＰＲＡＣＨ）リソースが過負荷になる可能性がある。
【００６８】
図８は、マシンタイプコミュニケーション（ＭＴＣ）装置１０４が、ネットワークへの接続を試みるのに使用する物理ランダムアクセスチャネル（ＰＲＡＣＨ）の送信機会を決定するアルゴリズムを使用している状態の基地局１０２とマシンタイプコミュニケーション（ＭＴＣ）装置１０４との間の上りリンク８１２および下りリンク８１４の無線フレーム８３８ａ〜ｆを示している。上記図７と同様に、ページングサイクル８４６は、３２の無線フレーム８３８を含む。無線フレーム８３８は、８つおきに、ＳＩＢ２サブフレーム８４０ａ〜ｅおよびTagVa1=nであるＳＩＢ１サブフレーム８４２ａ〜ｅを含む。各ページングサイクル８４６の最初の無線フレーム８３８には、ページング機会８４４ａ〜ｃも含む。
【００６９】
無線フレーム０  ８３８ａ、無線フレーム３２  ８３８ｂ、および無線フレーム６４  ８３８ｆの下りリンク８１４では、ＳＩＢ２サブフレーム８４０は、マシンタイプコミュニケーション（ＭＴＣ）装置がネットワークへのアクセス権を有していることを示す。上りリンク８１２では、物理ランダムアクセスチャネル（ＰＲＡＣＨ）は、各無線フレーム８３８のサブフレーム２およびサブフレーム７にある。
【００７０】
無線フレーム４８  ８３８ｃでは、緊急事態が発生する。緊急事態発生後の一定期間は、マシンタイプコミュニケーション（ＭＴＣ）装置１０４がネットワークに接続すること／接続を試みることを停止することが望ましい。そして、マシンタイプコミュニケーション（ＭＴＣ）装置１０４にネットワークに接続すること／ネットワークへの接続を試みることを要求するトリガーとなるイベントが発生する。マシンタイプコミュニケーション（ＭＴＣ）装置１０４は、次に利用可能なＳＩＢ２サブフレーム８４０を、マシンタイプコミュニケーション（ＭＴＣ）装置１０４がネットワークに接続できるかどうかを決定するためのターゲットとする。ある構成では、マシンタイプコミュニケーション（ＭＴＣ）装置１０４は、無線フレーム５６  ８３８ｄ内の、ＳＩＢ２サブフレーム８４０ｄをターゲットとする。
【００７１】
ＳＩＢ２サブフレーム８４０ｄ内の情報は、マシンタイプコミュニケーション（ＭＴＣ）装置１０４がネットワークに接続することを試みるためのアクセス権を有していることを示す。その後、マシンタイプコミュニケーション（ＭＴＣ）装置１０４は、ネットワークへの接続を試みるのに使用する１つ以上の物理ランダムアクセスチャネル（ＰＲＡＣＨ）の送信機会を決定するアルゴリズムを使用する。使用する物理ランダムアクセスチャネル（ＰＲＡＣＨ）の送信機会を決定するのに利用可能ないくつかのアルゴリズムは、図６に関連して上述した。複数のマシンタイプコミュニケーション（ＭＴＣ）装置１０４が同一のトリガーとなるイベントに応答する場合、各マシンタイプコミュニケーション（ＭＴＣ）装置１０４が、ネットワークへの接続を試みるのに使用する物理ランダムアクセスチャネル（ＰＲＡＣＨ）の送信機会を決定するアルゴリズムを使用すると、基地局１０２の物理ランダムアクセスチャネル（ＰＲＡＣＨ）リソースが過負荷になる可能性が低くなる。
【００７２】
図９は、緊急事態に対処する方法９００のフローチャートである。方法９００は基地局１０２によって実施される。ある構成では、基地局１０２は、発展型ノードＢである。基地局１０２は緊急メッセージを受信する（９０２）。緊急メッセージは基幹ネットワーク１１０から受信される。緊急メッセージは、地震津波警告システム（ＥＴＷＳ）または業務用携帯機器警告システム（ＣＭＡＳ）である。
【００７３】
基地局１０２は、スケジューリング情報３２８およびメッセージデータ（すなわち、緊急情報３３０）を変更する（９０４）。スケジューリング情報３２８およびメッセージデータは、ネットワークとの通信リンクの構築を助けるために、無線通信装置１０６およびマシンタイプコミュニケーション（ＭＴＣ）装置１０４にブロードキャストするシステム情報（ＳＩ）メッセージ３２４の一部である。図３に関連して上記で説明したように、スケジューリング情報３２８は、SystemInformationBlockType1（ＳＩＢ１サブフレーム４４２）に含まれ、緊急メッセージ３３０の所在についての指示、およびシステム情報（ＳＩ）メッセージ３２４内で変化が起きたことを示す指標３３４を含む。メッセージデータは、SystemInformationBlockType10/11/12（ＳＩＢ１０／１１／１２サブフレーム）に含まれ、地震津波警告システム（ＥＴＷＳ）および業務用携帯機器警告システム（ＣＭＡＳ）等の緊急メッセージデータを含む。
【００７４】
基地局１０２はまた、現在アクセスクラス１１８を更新する（９０６）。現在アクセスクラス１１８は、SystemInformationBlockType2（ＳＩＢ２サブフレーム４４０）のac-BarringInfoに含まれる。基地局１０２は、スケジューリング情報３２８および更新された現在のアクセスクラス１１８を含むシステム情報メッセージ３２４をブロードキャストする（９０８）。スケジューリング情報３２８はＳＩＢ１サブフレーム４４２に含まれる。更新された現在のアクセスクラス１１８はＳＩＢ２サブフレーム４４０に含まれる。基地局１０２はまた、緊急指標３３６およびシステム情報変更指標３３４を含むページングメッセージ３３２を無線装置３２２に送信する（９１０）。
【００７５】
図１０は、マシンタイプコミュニケーション（ＭＴＣ）装置１００４において利用される種々の構成要素を示す。マシンタイプコミュニケーション（ＭＴＣ）装置１００４は遠隔検針装置、疾患管理装置、ナビゲーションシステム、監視システム等である。マシンタイプコミュニケーション（ＭＴＣ）装置１００４は、マシンタイプコミュニケーション（ＭＴＣ）装置１００４の動作を制御するプロセッサ１００３を備えている。プロセッサ１００３はＣＰＵとも称する。読み出し専用メモリ（ＲＯＭ）と、ランダムアクセスメモリ（ＲＡＭ）または情報を蓄積する任意の種類のデバイスの両方を備えているメモリ１００５は、命令１００７ａおよびデータ１００９ａをプロセッサ１００３に供給する。メモリ１００５の一部は、不揮発性ランダムアクセスメモリ（ＮＶＲＡＭ）も備わっている。命令１００７ｂおよびデータ１００９ｂはプロセッサ１００３にも存在する。プロセッサ１００３にロードされた命令１００７ｂは、プロセッサ１００３で実行するためにロードされた、メモリ１００５からの命令１００７ａも含む。本明細書に開示されている方法を実行するために、命令１００７ｂが、プロセッサ１００３によって実行される。
【００７６】
マシンタイプコミュニケーション（ＭＴＣ）装置１００４は、データの送受信を実現するための送信機１０１１および受信機１０１３を含むユニット（housing）も備えている。送信機１０１１および受信機１０１３はトランシーバー１０１５に組み込まれていてもよい。アンテナ１０１７は上記ユニットに接続されており、電気的にトランシーバー１０１５と結合している。また、追加のアンテナを使用してもよい。
【００７７】
マシンタイプコミュニケーション（ＭＴＣ）装置１００４における種々の構成要素は、データバスに加えて、電力バス、制御信号バス、および状態信号バスを含むバスシステム１０１９によって結合されている。ただし、解りやすくするため、上記種々のバスは、バスシステム１０１９として図１０に示す。マシンタイプコミュニケーション（ＭＴＣ）装置１００４はまた、信号処理に使用するデジタルシグナルプロセッサ（ＤＳＰ）１０２１を備えていてもよい。マシンタイプコミュニケーション（ＭＴＣ）装置１００４はまた、マシンタイプコミュニケーション（ＭＴＣ）装置１００４の各機能へのユーザーによるアクセスを提供する通信インターフェース１０２３を備えていてもよい。図１０に示すマシンタイプコミュニケーション（ＭＴＣ）装置１００４は、具体的な構成要素のリストというよりむしろ機能ブロック図である。
【００７８】
図１１は、基地局１１０２において利用される種々の構成要素を示す。基地局１１０２は、マシンタイプコミュニケーション（ＭＴＣ）装置１００４に関して上記で説明したものと同様の構成要素を備えており、前記構成要素は、プロセッサ１１０３、命令１１０７ａおよびデータ１１０９ａをプロセッサ１１０３に供給するメモリ１１０５、プロセッサ１１０３に存在する命令１１０７ｂおよびデータ１１０９ｂ、送信機１１１１および受信機１１１３（これらはトランシーバー１１１５に組み込まれていてもよい）を含むユニット、トランシーバー１１１５と電気的に結合されているアンテナ１１１７、バスシステム１１１９、信号処理に使用するデジタルシグナルプロセッサ（ＤＳＰ）１１２１、通信インターフェース１１２３等を含む。
【００７９】
本明細書において使用されている「決定」という用語は、多種多様な動作を包含する。したがって、「決定する」は、算出する、計算する、処理する、導出する、調査する、検索する（例えば、テーブル、データベース、または別のデータ構造において検索する）、確認する等を包含することができる。また、「決定する」は、受信する（例えば、情報を受信する）、アクセスする（例えば、メモリ内のデータにアクセスする）等も包含することができる。また、「決定する」は、解決する、選抜する、選択する、確定する等も包含することができる。
【００８０】
「〜に基づいて」という表現は、特に明記されていない限り、「〜だけに基づく」という意味ではない。言い換えれば、「〜に基づいて」という表現は、「〜だけに基づく」と「少なくとも〜に基づいて」の両方を表している。
【００８１】
「プロセッサ」という用語は、広義に解釈され、汎用プロセッサ、中央処理装置（ＣＰＵ）、マイクロプロセッサ、デジタルシグナルプロセッサ（ＤＳＰ）、コントローラー、マイクロコントローラー、ステートマシン等を包含するべきである。場合によっては、「プロセッサ」は、特定用途向け集積回路（ＡＳＩＣ）、プログラマブルロジックデバイス（ＰＬＤ）、フィールドプログラマブルゲートアレイ（ＦＰＧＡ）等を指すことがある。「プロセッサ」という用語は、処理装置の組み合わせを指すことがある。例えば、ＤＳＰおよびマイクロプロセッサの組み合わせ、複数のマイクロプロセッサ、ＤＳＰコアと連結した１つ以上のマイクロプロセッサ、またはそれに類する他の構成のものが挙げられる。
【００８２】
「メモリ」という用語は、広義に解釈され、電子情報を蓄積することができる任意の電子部品を包含するべきである。「メモリ」という用語は、プロセッサが読み取り可能な種々の媒体を指し、ランダムアクセスメモリ（ＲＡＭ）、読み取り専用メモリ（ＲＯＭ）、不揮発性ランダムアクセスメモリ（ＮＶＲＡＭ）、プログラマブルロム（ＰＲＯＭ）、消去可能プログラマブルロム（ＥＰＲＯＭ）、 電気的消去可能ピーロム（ＥＥＰＲＯＭ（登録商標））、フラッシュメモリ、磁気または光データ記憶装置、レジスタ等がある。メモリは、プロセッサがメモリからの情報の読み出しおよび／またはメモリへの情報を書き込みができる場合、上記プロセッサと電子通信状態にあると言える。メモリは、プロセッサに内蔵してもよく、それでも上記プロセッサと電子通信状態にあると言える。
【００８３】
「命令」および「コード」という用語は、広義に解釈され、任意の種類のコンピューター読み取り可能なステートメントを包含するべきである。例えば、「命令」および「コード」という用語は、１つ以上のプログラム、ルーチン、サブルーチン、関数、プロシージャー等を指す。「命令」および「コード」は、 1つのコンピューター読み取り可能なステートメントまたは多数のコンピューター読み取り可能なステートメントを含んでいてもよい。
【００８４】
本明細書に記載されている機能は、ハードウェア、ソフトウェア、ファームウェア、またはこれらの任意の組み合わせで実行される。ソフトウェアで実行される場合、上記機能はコンピューター読み取り可能な媒体に１つ以上の命令として記憶される。「コンピューター読み取り可能な媒体」という用語は、コンピューターがアクセス可能な任意の利用可能な媒体を指す。限定はしないが、例を挙げると、コンピューター読み取り可能な媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶装置、または命令やデータ構造の形式で所望のプログラムコードを搬送または記憶することができ、コンピューターがアクセス可能なその他の媒体を含んでいてもよい。本明細書において使用されているディスク（ｄｉｓｋおよびｄｉｓｃ）は、コンパクトディスク（ＣＤ）、レーザーディスク（登録商標）、光ディスク、デジタル多用途ディスク（ＤＶＤ）、フロッピー（登録商標）ディスク、およびＢｌｕ−ｒａｙ（登録商標）を含み、ｄｉｓｋは通常磁気的にデータを再生するのに対し、ｄｉｓｃはレーザーによって光学的にデータを再生する。
【００８５】
ソフトウェアまたは命令は、伝送媒体上で送信される。例えば、ソフトウェアが、ウェブサイト、サーバー、または同軸ケーブル、光ファイバーケーブル、ツイストペア、デジタル加入者線（ＤＳＬ）、または赤外線、電波、マイクロ波等のワイヤレス技術を使用した他の遠隔ソースから送信される場合、上記同軸ケーブル、光ファイバーケーブル、ツイストペア、ＤＳＬ、または赤外線、電波、マイクロ波等のワイヤレス技術は、伝送媒体の定義に含まれる。
【００８６】
本明細書に開示された方法は、上述の方法を達成するための１つ以上の工程または動作を含んでいる。上記方法の工程および／または動作は、請求項に示した範囲で交換可能である。言い換えれば、述べられている方法を適切に実施するために特定の工程または動作の順番が必要とされない限り、工程および／または動作の順番および／または使用は、請求項に示した範囲で変更してもよい。
【００８７】
次に記載する請求の範囲は、上述した構成および構成要素に限定されるものではないということを理解すべきである。すなわち、請求項に示した範囲で、本明細書に記載されたシステム、方法、装置の構成、動作、および詳細を種々に変更してもよい。
【図１】
2013527695.tif 000003
【図２】
2013527695.tif 000004
【図３】
2013527695.tif 000005
【図４】
2013527695.tif 000006
【図５】
2013527695.tif 000007
【図６】
2013527695.tif 000008
【図７】
2013527695.tif 000009
【図８】
2013527695.tif 000010
【図９】
2013527695.tif 000011
【図１０】
2013527695.tif 000012
【図１１】
2013527695.tif 000013
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
マシンタイプコミュニケーション（ＭＴＣ）装置によってネットワークへの接続を試みるかどうかを決定する方法であって、
トリガーとなるイベントを検知する工程と、
基地局の現在のアクセスクラスを含む無線フレームであり、トリガーとなるイベント後の前記現在のアクセスクラスを含む最初の無線フレームである無線フレームを基地局から受信する工程と、
前記ＭＴＣ装置が前記基地局へのアクセス権を有しているか否かを判定する工程と、
前記ＭＴＣ装置が前記アクセス権を有しているか否かに基づいてネットワークへの接続を試みるかどうかを決定する工程と、
前記ＭＴＣ装置がアクセス権を有していない場合、前記ネットワークへの接続の試みを中止する工程と、
前記ＭＴＣ装置がアクセス権を有している場合、前記ネットワークへの接続を試みる工程と、
前記ネットワークへの接続を試みるために使用する物理ランダムアクセスチャネル（ＰＲＡＣＨ）の送信機会の分配を決定する工程と、
１つ以上のＰＲＡＣＨの送信機会を上記ＰＲＡＣＨの送信機会の分配から選択する工程と、を含み、
前記ネットワークへの接続を試みる工程は、選択された１つ以上のＰＲＡＣＨの送信機会を使用して前記ネットワークへの接続を試みる工程を含むことを特徴とする方法。
【請求項２】
ＰＲＡＣＨの送信機会の分配を決定する工程は、使用可能な最初と最後のＰＲＡＣＨの送信機会を示す範囲値に加えて、乱数発生器を使用する工程を含むことを特徴とする請求項１に記載の方法。
【請求項３】
ＰＲＡＣＨの送信機会の分配を決定する工程は、前記トリガーとなるイベントが受信された時および前記無線フレームが受信された時の差分時間を入力として取得する工程をさらに含むことを特徴とする請求項１に記載の方法。
【請求項４】
ＰＲＡＣＨの送信機会の分配を決定する工程は、ＭＴＣ装置の登録番号および前記使用可能なＰＲＡＣＨの送信機会を示す範囲値を使用する工程と、前記範囲値に前記登録番号をマッピングする工程と、をさらに含むことを特徴とする請求項１に記載の方法。
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
マシンタイプコミュニケーション（ＭＴＣ）装置によってネットワークへの接続を試みるかどうかを決定する方法であって、
トリガーとなるイベントを検知する工程と、
変更期間において、基地局によって変化させることができる、現在のアクセスバーリング情報、および変更期間において変化させることができない他の情報を含むとともに、トリガーとなるイベント後の前記現在のアクセスクラスを含む無線フレームを基地局から受信する工程と、
前記ＭＴＣ装置が前記基地局へのアクセス権を有しているか否かを判定する工程と、
前記ＭＴＣ装置が前記アクセス権を有しているか否かに基づいてネットワークへの接続を試みるかどうかを決定する工程と、
前記ＭＴＣ装置がアクセス権を有していない場合、前記ネットワークへの接続の試みを中止する工程と、
前記ＭＴＣ装置がアクセス権を有している場合、前記ネットワークへの接続を試みる工程と、を含むことを特徴とする方法。
【請求項２】
システム情報の変更を知らせるページングメッセージを受信する工程を含むことを特徴とする請求項１に記載の方法。
【請求項３】
前記ネットワークへの接続を試みるために使用する物理ランダムアクセスチャネル（ＰＲＡＣＨ）の送信機会の分配を決定する工程と、
１つ以上のＰＲＡＣＨの送信機会を前記ＰＲＡＣＨの送信機会の分配から選択する工程と、を含み、
前記ネットワークへの接続を試みる工程は、選択された１つ以上のＰＲＡＣＨの送信機会を使用して前記ネットワークへの接続を試みる工程を含むことを特徴とする請求項１に記載の方法。
【請求項４】
ＰＲＡＣＨの送信機会の分配を決定する工程は、使用可能な最初と最後のＰＲＡＣＨの送信機会を示す範囲値に加えて、乱数発生器を使用する工程を含むことを特徴とする請求項２に記載の方法。
【請求項５】
ＰＲＡＣＨの送信機会の分配を決定する工程は、前記トリガーとなるイベントが受信された時および前記無線フレームが受信された時の差分時間を入力として取得する工程をさらに含むことを特徴とする請求項２に記載の方法。
【請求項６】
ＰＲＡＣＨの送信機会の分配を決定する工程は、ＭＴＣ装置の登録番号および前記使用可能なＰＲＡＣＨの送信機会を示す範囲値を使用する工程と、前記範囲値に前記登録番号をマッピングする工程と、をさらに含むことを特徴とする請求項２に記載の方法。
【国際調査報告】
2013527695.tif 000014
2013527695.tif 000015